【手続補正書】
【提出日】平成17年6月17日(2005.6.17)
【手続補正１】
【補正対象書類名】明細書
【補正対象項目名】発明の名称
【補正方法】変更
【補正の内容】
【発明の名称】画像処理装置、その制御方法及び記憶媒体
【手続補正２】
【補正対象書類名】明細書
【補正対象項目名】特許請求の範囲
【補正方法】変更
【補正の内容】
【特許請求の範囲】
【請求項１】
クロックを発生するクロック発生手段と、
前記クロック発生手段により発生したクロックの周波数を変調する周波数変調手段と、
前記周波数変調手段により変調したクロックに同期して画像処理を行う画像処理手段と、
前記クロック発生手段の出力と前記周波数変調手段の出力とを比較する比較手段と、
前記比較手段による比較結果に基づき前記周波数変調手段の変調機能の停止を検知する検知手段と、
を有することを特徴とする画像処理装置。
【請求項２】
前記検知手段は、前記比較手段の出力が基準値以下の場合に前記周波数変調手段の変調機能が停止したことを検知することを特徴とする請求項１記載の画像処理装置。
【請求項３】
原稿から画像を読み取る画像読取手段を有し、前記画像処理手段は前記画像読取手段から出力される画像データを処理することを特徴とする請求項１記載の画像処理装置。
【請求項４】
前記検知手段が前記周波数変調手段の変調機能の停止を検知した場合に画像処理装置本体の電源を切断する電源制御手段を有することを特徴とする請求項１乃至３の何れかに記載の画像処理装置。
【請求項５】
前記検知手段が前記周波数変調手段の変調機能の停止を検知した場合にその旨を警告する警告手段を有することを特徴とする請求項１乃至４の何れかに記載の画像処理装置。
【請求項６】
前記検知手段が前記周波数変調手段の変調機能の停止を検知した場合にその旨を表示する表示手段を有することを特徴とする請求項１乃至４の何れかに記載の画像処理装置。
【請求項７】
クロックを発生するクロック発生ステップと、
前記クロック発生ステップで発生したクロックの周波数を変調する周波数変調ステップと、
前記周波数変調ステップで変調したクロックに同期して画像処理を行う画像処理ステップと、
前記クロック発生ステップの出力と前記周波数変調ステップの出力とを比較する比較ステップと、
前記比較ステップの比較結果に基づき前記周波数変調ステップの変調機能の停止を検知する検知ステップと、
を有することを特徴とする画像処理装置の制御方法。
【請求項８】
前記検知ステップでは、前記比較ステップの出力が基準値以下の場合に前記周波数変調ステップの変調機能が停止したことを検知することを特徴とする請求項７記載の画像処理装置の制御方法。
【請求項９】
原稿から画像を読み取る画像読取ステップを有し、前記画像処理ステップでは前記画像読取ステップで得られる画像データを処理することを特徴とする請求項７記載の画像処理装置の制御方法。
【請求項１０】
前記検知ステップが前記周波数変調ステップの変調機能の停止を検知した場合に画像処理装置本体の電源を切断する電源制御ステップを有することを特徴とする請求項７乃至９の何れかに記載の画像処理装置の制御方法。
【請求項１１】
前記検知ステップが前記周波数変調ステップの変調機能の停止を検知した場合にその旨を警告する警告ステップを有することを特徴とする請求項７乃至１０の何れかに記載の画像処理装置の制御方法。
【請求項１２】
前記検知ステップが前記周波数変調ステップの変調機能の停止を検知した場合にその旨を表示する表示ステップを有することを特徴とする請求項７乃至１０の何れかに記載の画像処理装置の制御方法。
【請求項１３】
請求項７乃至１２の何れかに記載の制御方法をコンピュータ制御により画像処理装置に実行させるプログラムを記憶したコンピュータにより読み出し可能な記憶媒体。
【手続補正３】
【補正対象書類名】明細書
【補正対象項目名】０００１
【補正方法】変更
【補正の内容】
【０００１】
【発明の属する技術分野】
本発明は、画像処理装置、その制御方法及び記憶媒体に係り、更に詳しくは、例えばデジタル複写機やスキャナ等に適用する場合に好適な画像処理装置、その制御方法及び記憶媒体に関する。
【手続補正４】
【補正対象書類名】明細書
【補正対象項目名】０００４
【補正方法】変更
【補正の内容】
【０００４】
本発明は、上述した点に鑑みなされたものであり、設計者、技術者の負担を低減すると共に低コストで且つ容易に電磁輻射の低減が可能な画像処理装置、その制御方法及び記憶媒体を提供することを目的とする。
【手続補正５】
【補正対象書類名】明細書
【補正対象項目名】０００５
【補正方法】変更
【補正の内容】
【０００５】
上記目的を達成するために、請求項１記載の本発明は、クロックを発生するクロック発生手段と、前記クロック発生手段により発生したクロックの周波数を変調する周波数変調手段と、前記周波数変調手段により変調したクロックに同期して画像処理を行う画像処理手段と、前記クロック発生手段の出力と前記周波数変調手段の出力とを比較する比較手段と、前記比較手段による比較結果に基づき前記周波数変調手段の変調機能の停止を検知する検知手段と、を有することを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
上記目的を達成するために、請求項７記載の本発明は、クロックを発生するクロック発生ステップと、前記クロック発生ステップで発生したクロックの周波数を変調する周波数変調ステップと、前記周波数変調ステップで変調したクロックに同期して画像処理を行う画像処理ステップと、前記クロック発生ステップの出力と前記周波数変調ステップの出力とを比較する比較ステップと、前記比較ステップの比較結果に基づき前記周波数変調ステップの変調機能の停止を検知する検知ステップと、を有することを特徴とする。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００４７
【補正方法】変更
【補正の内容】
【００４７】
【発明の効果】
以上説明したように、本発明によれば、低コストで且つ容易に電磁輻射の低減が可能な画像処理装置を提供することができる。
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】削除
【補正の内容】
【手続補正２６】
【補正対象書類名】明細書
【補正対象項目名】００５１
【補正方法】削除
【補正の内容】
【手続補正２７】
【補正対象書類名】明細書
【補正対象項目名】００５２
【補正方法】削除
【補正の内容】
【手続補正２８】
【補正対象書類名】明細書
【補正対象項目名】００５３
【補正方法】削除
【補正の内容】
【手続補正２９】
【補正対象書類名】明細書
【補正対象項目名】００５４
【補正方法】削除
【補正の内容】
【手続補正３０】
【補正対象書類名】明細書
【補正対象項目名】００５５
【補正方法】削除
【補正の内容】
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】削除
【補正の内容】
【手続補正３３】
【補正対象書類名】明細書
【補正対象項目名】００５８
【補正方法】削除
【補正の内容】
【手続補正３４】
【補正対象書類名】明細書
【補正対象項目名】００５９
【補正方法】削除
【補正の内容】
【手続補正３５】
【補正対象書類名】明細書
【補正対象項目名】００６０
【補正方法】削除
【補正の内容】
【手続補正３６】
【補正対象書類名】明細書
【補正対象項目名】００６１
【補正方法】削除
【補正の内容】
【手続補正３７】
【補正対象書類名】明細書
【補正対象項目名】００６２
【補正方法】削除
【補正の内容】
【手続補正３８】
【補正対象書類名】明細書
【補正対象項目名】００６３
【補正方法】削除
【補正の内容】